(57)【要約】【課題】たとえば、免許証の作成に適用した場合、誤って免許証番号を入力した際の顔画像と、正しく修正した免許証番号の記載情報で再処理を行なって、正しい記載の免許証を作成することができる認証用媒体作成システムを提供する。【解決手段】自動車の免許証を作成する認証用媒体作成システムにおいて、免許証の再処理の際に免許証番号を修正できるようにすることで、誤って免許証番号を入力した際の顔画像と、正しく修正した免許証番号の記載情報で再処理を行なって、正しい記載の免許証を作成する。【選択図】      図１
2005225167.tif 000002
【特許請求の範囲】
【請求項１】
認証用媒体を作成するために必要な複数の記載情報を記憶している第１の記憶手段と、
申請者の顔画像を取得する画像取得手段と、
この画像取得手段により取得された顔画像および前記第１の記憶手段から取得した当該顔画像の申請者に対応する記載情報を含む作成情報に基づき認証用媒体を作成する認証用媒体作成手段と、
この認証用媒体作成手段により作成された認証用媒体の作成情報を記憶する第２の記憶手段と、
認証用媒体の再作成を行なう場合に、再作成する認証用媒体固有の識別情報の入力を受付ける識別情報入力手段と、
この識別情報入力手段により入力された識別情報を有する作成情報を前記第２の記憶手段から取得する作成情報取得手段と、
この作成情報取得手段により取得された作成情報内の識別情報に修正が必要な場合に当該識別情報を修正する識別情報修正手段と、
この識別情報修正手段により修正された新たな識別情報を含む記載情報を前記第１の記憶手段から取得する記載情報取得手段と、
この記載情報取得手段により取得された記載情報および前記作成情報取得手段により取得された作成情報内の顔画像を含む新たな作成情報に基づき認証用媒体を再度作成するよう前記認証用媒体作成手段を制御する制御手段と、
を具備したことを特徴とする認証用媒体作成システム。
【請求項２】
前記第２の記憶手段は前記画像取得手段に備えられていることを特徴とする請求項１記載の認証用媒体作成システム。
【請求項３】
前記作成情報取得手段により取得された作成情報内の識別情報に修正が不要な場合、前記制御手段は、前記作成情報取得手段により取得された作成情報に基づき認証用媒体を再度作成するよう前記認証用媒体作成手段を制御することを特徴とする請求項１記載の認証用媒体作成システム。
【請求項４】
申請者の顔画像を取得する画像取得ステップと、
この画像取得ステップにより取得された顔画像および認証用媒体を作成するために必要な複数の記載情報を記憶している第１の記憶手段から取得した当該顔画像の申請者に対応する記載情報を含む作成情報に基づき認証用媒体を作成する第１の認証用媒体作成ステップと、
この第１の認証用媒体作成ステップにより作成された認証用媒体の作成情報を第２の記憶手段に記憶する作成情報記憶ステップと、
認証用媒体の再作成を行なう場合に、再作成する認証用媒体固有の識別情報の入力を受付ける識別情報入力ステップと、
この識別情報入力ステップにより入力された識別情報を有する作成情報を前記第２の記憶手段から取得する作成情報取得ステップと、
この作成情報取得ステップにより取得された作成情報内の識別情報に修正が必要な場合に当該識別情報を修正する識別情報修正ステップと、
この識別情報修正ステップにより修正された新たな識別情報を含む記載情報を前記第１の記憶手段から取得する記載情報取得ステップと、
この記載情報取得ステップにより取得された記載情報および前記作成情報取得ステップにより取得された作成情報内の顔画像を含む新たな作成情報に基づき認証用媒体を再度作成する第２の認証用媒体作成ステップと、
を具備したことを特徴とする認証用媒体作成方法。
【発明の詳細な説明】
【技術分野】
【０００１】
本発明は、たとえば、自動車の運転免許証（以降、単に免許証という）、各種スポーツクラブの会員証、各種ＩＤカード（カード形や通帳形を含む）などの顔画像付の証明用媒体を作成する認証用媒体作成システムおよび認証用媒体作成方法に関する。
【背景技術】
【０００２】
従来、たとえば、自動車の免許証を作成する認証用媒体作成システムは、作成した免許証の作成情報を一極管理するグループコントローラを備えている（たとえば、特許文献１、特許文献２参照）。  
このような認証用媒体作成システムにおいて、作成不良が発生した場合、たとえば、免許証を作成する作成機の不良に基づく文字のかすれや印刷ずれなどの不良、あるいは、作成された免許証に印刷された記載情報の入力ミスに基づく不良などが発生した場合、再処理端末装置からグループコントローラに対して再処理要求、すなわち再作成の要求を行なう。
【０００３】
再処理要求を受けたグループコントローラは、再処理要求された免許証を作成した作成機に対して免許証の再作成を要求する。この作成機は、免許証を再作成するために必要な作成情報（記載情報および顔画像）を保持している。したがって、再処理要求された作成機は、保持している作成情報に基づいて免許証を再作成する。
【特許文献１】特開２００２−３２５０１号公報
【特許文献２】特開平９−３１９８３３号公報
【発明の開示】
【発明が解決しようとする課題】
【０００４】
従来、再処理（免許証の再作成）を行なう場合、当該免許証の免許証番号（識別情報）を入力し、その免許証番号に対応する作成情報（記載情報および顔画像）を検索することにより免許証を再作成している。
【０００５】
一方、免許証を新規に作成する際に免許証番号を誤って入力した場合、正しい免許証番号で免許証を再度作成しようとしても、当該作成情報を取得する条件が「誤った免許証番号」であるので、誤った免許証番号でしか免許証を際作成できない。  
正しい免許証番号で免許証を再作成するには、正しい免許証番号を入力して新規に免許証を作成するので、申請者の顔画像を再度撮影するために出向く必要があり、申請者を煩わすことになる。
【０００６】
そこで、本発明は、たとえば、免許証の作成に適用した場合、誤って免許証番号を入力した際の顔画像と、正しく修正した免許証番号の記載情報で再処理を行なって、正しい記載の免許証を作成することができ、しかも、申請者の顔画像を再度撮影する必要がないので申請者の負担が軽減する認証用媒体作成システムおよび認証用媒体作成方法を提供することを目的とする。
【課題を解決するための手段】
【０００７】
本発明の認証用媒体作成システムは、認証用媒体を作成するために必要な複数の記載情報を記憶している第１の記憶手段と、申請者の顔画像を取得する画像取得手段と、この画像取得手段により取得された顔画像および前記第１の記憶手段から取得した当該顔画像の申請者に対応する記載情報を含む作成情報に基づき認証用媒体を作成する認証用媒体作成手段と、この認証用媒体作成手段により作成された認証用媒体の作成情報を記憶する第２の記憶手段と、認証用媒体の再作成を行なう場合に、再作成する認証用媒体固有の識別情報の入力を受付ける識別情報入力手段と、この識別情報入力手段により入力された識別情報を有する作成情報を前記第２の記憶手段から取得する作成情報取得手段と、この作成情報取得手段により取得された作成情報内の識別情報に修正が必要な場合に当該識別情報を修正する識別情報修正手段と、この識別情報修正手段により修正された新たな識別情報を含む記載情報を前記第１の記憶手段から取得する記載情報取得手段と、この記載情報取得手段により取得された記載情報および前記作成情報取得手段により取得された作成情報内の顔画像を含む新たな作成情報に基づき認証用媒体を再度作成するよう前記認証用媒体作成手段を制御する制御手段とを具備している。
【０００８】
また、本発明の認証用媒体作成方法は、申請者の顔画像を取得する画像取得ステップと、この画像取得ステップにより取得された顔画像および認証用媒体を作成するために必要な複数の記載情報を記憶している第１の記憶手段から取得した当該顔画像の申請者に対応する記載情報を含む作成情報に基づき認証用媒体を作成する第１の認証用媒体作成ステップと、この第１の認証用媒体作成ステップにより作成された認証用媒体の作成情報を第２の記憶手段に記憶する作成情報記憶ステップと、認証用媒体の再作成を行なう場合に、再作成する認証用媒体固有の識別情報の入力を受付ける識別情報入力ステップと、この識別情報入力ステップにより入力された識別情報を有する作成情報を前記第２の記憶手段から取得する作成情報取得ステップと、この作成情報取得ステップにより取得された作成情報内の識別情報に修正が必要な場合に当該識別情報を修正する識別情報修正ステップと、この識別情報修正ステップにより修正された新たな識別情報を含む記載情報を前記第１の記憶手段から取得する記載情報取得ステップと、この記載情報取得ステップにより取得された記載情報および前記作成情報取得ステップにより取得された作成情報内の顔画像を含む新たな作成情報に基づき認証用媒体を再度作成する第２の認証用媒体作成ステップとを具備している。
【発明の効果】
【０００９】
本発明によれば、たとえば、免許証の作成に適用した場合、誤って免許証番号を入力した際の顔画像と、正しく修正した免許証番号の記載情報で再処理を行なって、正しい記載の免許証を作成することができ、しかも、申請者の顔画像を再度撮影する必要がないので申請者の負担が軽減する認証用媒体作成システムおよび認証用媒体作成方法を提供できる。
【発明を実施するための最良の形態】
【００１０】
以下、本発明の実施の形態について図面を参照して説明する。  
図１は、本実施の形態に係る認証用媒体作成システムの構成を概略的に示すものである。この認証用媒体作成システムは、たとえば、自動車の運転免許証を作成するもので、ホストコンピュータ１０、再処理端末装置２０、複数の撮影機３０Ａ，３０Ｂ，３０Ｃ，…、複数の作成機４０Ａ，４０Ｂ，４０Ｃ，…、および、これら各機器を互いに通信可能に接続するＬＡＮなどの専用回線５０を有して構成されている。
【００１１】
ホストコンピュータ１０は、ＣＰＵ（セントラル・プロセッシング・ユニット）１１、メモリ部１２、操作部１３、表示部１４、および、データベース１５を備えている。  
ＣＰＵ１１は、ホストコンピュータ１０全体の制御を司る。メモリ部１２は、ホストコンピュータ１０全体を制御するための制御プログラムや制御情報などを記憶している。
【００１２】
操作部１３は、オペレータにより、申請者の免許証（認証用媒体）を発行するために必要な記載情報（免許証情報）を入力するために用いられる。ここに、記載情報としては、たとえば、申請者の氏名情報、生年月日情報、本籍情報、住所情報、免許証の交付年月日情報、照会番号、有効期限情報、免許条件情報、免許証番号（識別情報）、免許種類情報などである。
【００１３】
表示部１４は、操作に必要な種々の情報、操作部１３を介して入力された情報、システムの状態を示す情報などを表示する。データベース１５は、免許証を作成するために必要な複数の記載情報（免許証情報）を記憶している。
【００１４】
再処理端末装置２０は、ＣＰＵ２１、メモリ部２２、操作部２３、および、表示部２４を備えている。  
ＣＰＵ２１は、再処理端末装置２０全体を制御するとともに、免許証の再処理（再作成処理）を制御する制御手段として機能する。メモリ部２２は、再処理端末２０全体を制御するための制御プログラムや制御情報などを記憶している。
【００１５】
操作部２３は、入力手段として機能し、申請者が所持する免許証の免許証番号、免許証の交付年月日情報および照会番号などの情報を入力するために用いられる。また、操作部２３は、免許証の再処理要求を入力するために用いられる。さらに、操作部２３は、修正手段として機能し、免許証番号の修正するために用いられる。
【００１６】
表示部２４は、操作に必要な種々の情報、操作部２３を介して入力された情報、再処理端末装置２０の状態を示す情報、ホストコンピュータ１０から送信された記載情報に基づく情報、通常の免許証作成処理および再作成処理における必要は情報などを表示する。
【００１７】
ここで、再処理端末装置２０のＣＰＵ２１は、免許証の再処理要求を受付けた場合に、該当する作成情報を全ての撮影機３０Ａ，３０Ｂ，３０Ｃに備えられたメモリ部３２から検索する検索手段として機能する。また、再処理端末装置２０の操作部２３は、免許証を再作成する作成機４０を指定する指定手段としても機能する。
【００１８】
撮影機３０Ａ，３０Ｂ，３０Ｃは、ＣＰＵ３１、メモリ部３２、操作部３３、表示部３４、および、撮影部３５を備えている。  
ＣＰＵ３１は、それぞれの撮影機を制御する。メモリ部３２は、それぞれの撮影機全体を制御するための制御プログラムや制御情報などを記憶している。また、メモリ部３２は、通常の免許証作成処理で免許証を作成した際に生成された作成情報を記憶する記憶手段としても機能する。
【００１９】
操作部３３は、それぞれの撮影機を操作するために必要な制御データを入力するために用いられる。表示部３４は、操作に必要な種々の情報、操作部３３を介して入力された情報、それぞれの撮影機３０の状態を示す情報、撮影部３５によって撮影された顔画像などを表示する。撮影部３５は、画像取得手段として機能し、申請者の少なくとも顔を含む画像（顔画像）を撮影するＣＣＤカメラなどを備えている。
【００２０】
作成機４０Ａ、４０Ｂ、４０Ｃは、それぞれ、再処理端末装置２０から送信された印刷情報、すなわち、免許証を作成するために必要な記載情報および顔画像に基づいて、免許証を作成する作成手段として機能する印刷部を備えている。
【００２１】
次に、このような構成において通常の免許証の作成処理について簡単に説明する。  
撮影機３０Ａ，３０Ｂ，３０Ｃのうちいずれかの撮影機、たとえば、撮影機３０Ａにおいて、操作部３３により申請者の免許証番号を入力することにより、この入力された免許証番号はホストコンピュータ１０へ送信される。ホストコンピュータ１０は、撮影機３０Ａから送信された免許証番号を有する記載情報をデータベース１５から検索し、この検索した記載情報を撮影機３０Ａに送信する。なお、該当する記載情報を検索できなかった場合には、操作部１３を用いて新たな記載情報が作成される。
【００２２】
撮影機３０Ａでは、撮影部３５により申請者の顔画像を撮影する。次に、この撮影した顔画像およびホストコンピュータ１０から送信された当該申請者の記載情報を含む作成情報（印刷情報など）を生成し、この生成した作成情報を作成機４０Ａ、４０Ｂ、４０Ｃのうちいずれかの作成機、たとえば、指定した作成機４０Ａに送信する。  
作成機４０Ａは、撮影機３０Ａから送信された作成情報に基づき所定の免許証を作成する。
【００２３】
次に、撮影機３０Ａでは、通常の免許証作成処理において免許証を作成するために生成した作成情報（申請者の顔画像および記載情報）をメモリ部３２に記憶する。これで、１枚の免許証に対する作成処理が終了する。
【００２４】
次に、免許証の再処理（再作成処理）について図２に示すフローチャートを参照して説明する。  
まず、オペレータは、再処理端末装置２０において、操作部２３（識別情報入力手段）により再処理する免許証の免許証番号を入力する（ステップＳ１）。このとき入力する免許証番号は、先の作成処理時に誤って入力された免許証番号であっても、その誤って入力された免許証番号を入力する。
【００２５】
次に、再処理端末装置２０では、操作部２３により入力された免許証番号を全ての撮影機３０Ａ，３０Ｂ，３０Ｃに送信し、それらに対し検索要求を行なう。検索要求を受けた撮影機３０Ａ，３０Ｂ，３０Ｃでは、再処理端末装置２０から送信された免許証番号を有する作成情報（申請者の顔画像、記載情報）を各メモリ部３２から検索し、検索した結果、該当する作成情報を再処理端末装置２０へ送信する（ステップＳ２）。
【００２６】
再処理端末装置２０では、ＣＰＵ２１（作成情報取得手段）により撮影機３０Ａ，３０Ｂ，３０Ｃのうち、該当する作成情報を有する撮影機（本例では撮影機３０Ａ）から送信された作成情報を収集して表示部２４に表示し、ここでオペレータは、表示された内容を確認した上、操作部２３により再処理を行なう作成情報の選択、免許証の再作成を行なう作成機の指定、再処理（再作成）の指示などを行なう（ステップＳ３）。このとき、免許証番号を修正（変更）する場合、操作部２３（識別情報修正手段）により正しい免許証番号を入力することで修正する。
【００２７】
以下、免許証の再作成を行なう作成機として、たとえば各作成機の処理状況などを考慮し、空いている作成機３０Ｂが指定され、再処理の指示が撮影機３０Ｂに対して行なわれたものとして説明する。  
再処理端末装置２０では、再処理の指示を撮影機３０Ｂに対して行なうと、撮影機３０Ｂに対し再処理する免許証の免許証番号、免許証の再作成を行なう作成機３０Ｂの号機コードを送信する。
【００２８】
撮影機３０ＢのＣＰＵ１１（記載情報取得手段）では、再処理で免許証番号が修正されたか否かをチェックし（ステップＳ４）、免許証番号が修正されていると判断した場合、ホストコンピュータ１０のデータベース１５から修正後の免許証番号を有する記載情報を新たに取得する（ステップＳ５）。
【００２９】
次に、撮影機３０Ｂでは、この取得した新たな記載情報およびステップＳ２で取得した作成情報内の顔画像を新たな作成情報として作成機３０Ｂへ送信するとともに、当該作成機３０Ｂに対し免許証の再作成指示を送信する（ステップＳ６）。
【００３０】
作成機３０Ｂでは、撮影機３０Ｂから免許証の再作成指示を受けると、撮影機３０Ｂから送信された新たな作成情報（顔画像、記載情報）に基づき免許証を再度作成する（ステップＳ７）。免許証の再作成が完了すると、作成機３０Ｂは撮影機３０Ｂに対し再作成完了の通知を送信する。
【００３１】
ステップＳ４のチェックの結果、免許証番号が修正されていない場合、撮影機３０Ｂは、ステップＳ２で取得した作成情報をそのまま作成機３０Ｂへ送信するとともに、当該作成機３０Ｂに対し免許証の再作成指示を送信する（ステップＳ８）。
【００３２】
作成機３０Ｂでは、撮影機３０Ｂから免許証の再作成指示を受けると、撮影機３０Ｂから送信された作成情報（顔画像、記載情報）に基づき免許証を再度作成する（ステップＳ７）。免許証の再作成が完了すると、作成機３０Ｂは撮影機３０Ｂに対し再作成完了の通知を送信する。
【００３３】
このように、免許証の再処理の際に免許証番号を修正できるようにすることで、誤って免許証番号を入力した際の顔画像と、正しく修正した免許証番号の記載情報で再処理を行なって、正しい記載の免許証を作成することができる。  
また、申請者の顔画像を再度撮影する必要がないので申請者の負担が軽減するという効果も期待できる。
【図面の簡単な説明】
【００３４】
【図１】本発明の実施の形態に係る認証用媒体作成システムの構成を概略的に示すブロック図。
【図２】免許証の再処理について説明するフローチャート。
【符号の説明】
【００３５】
１０…ホストコンピュータ、１５…データベース（第１の記憶手段）、２０…再処理端末装置、２３…操作部（識別情報修正手段）、３０Ａ，３０Ｂ，３０Ｃ…撮影機、３２…メモリ部（第２の記憶手段）、３３…操作部（識別情報入力手段）、３５…撮影部（画像取得手段）、４０Ａ，４０Ｂ，４０Ｃ…作成機（認証用媒体作成手段）、５０…専用回線。
【図１】
2005225167.tif 000003
【図２】
2005225167.tif 000004